(57)【要約】      （修正有）【課題】高速回転による空気摩擦で帯電し易い光学ディスクはプレーヤーに装着する都度、静電気や汚れを除去することができる効果があって手軽に使える手段を提供する。【解決手段】トルマリン鉱石を使用したシート状ビロード様布地１のクリーナによりディスク表面を拭き、静電気防止効果によって付着する静電気を防止し、荷電された汚れを除去する。トルマリン鉱石含有シートを必要な大きさに切って貼りつけてＣＤプレーヤー内部の空気との摩擦によって生じる静電気を抑制防止する。トルマリン鉱石１〜２ｇの切片をプレーヤー内部に固定し静電気防止する。トルマリン鉱石から作ったマイナスイオン水による洗浄によって静電気を除去する。塗料にトルマリン鉱石微細粒を混入させ、ディスクのレーベル面に塗布、付着させ静電気を防止する。【選択図】図１
2004178780.tif 000002
【特許請求の範囲】
【請求項１】
トルマリンの持つマイナスイオンによる静電気防止効果を、光学ディスクに付着する静電気の除去に利用することを特徴とする。ディスク表面を傷つけないようビロードなどの柔らかい布でトルマリンを含有する繊維の両面を挟んだ、幅１０ｃｍ×長さ１５ｃｍ×厚さ２ｍｍ程度のシートでディスク表面を拭くことにより、トルマリンの持つマイナスイオンがディスク表面に付着する静電気を防止、荷電された汚れを除去、光学ピックアップの読み取り精度を高め音質、画像などを改善する。
【請求項２】
トルマリンの持つ静電気防止効果を、光学ディスクに付着する静電気の除去に利用することを特徴とする。ディスクレーベル側表面もしくはディスクプレーヤー内部の、ディスク回転に支障のない場所へ、トルマリンを含有する繊維、あるいはトルマリン微細粒を付着した繊維に粘着材を付帯させた幅５ｃｍ×長さ１０ｃｍ×厚さ１ｍｍ程度のテープを、適当な大きさに切って貼りつけることで、ディスク回転時に空気との摩擦によってプレーヤー内部に生じる静電気を、抑制あるいは防止し、光学ピックアップの読み取り精度を高め音質を改善する。
【請求項３】
音響機器の音質改善などを目的にトルマリンの持つ静電気防止効果を、光学ディスクに付着する静電気の除去に利用することを特徴とする。請求項２のトルマリン含有繊維のかわりに、トルマリン鉱石１ｇ程度の切片をプレーヤー内部のディスク回転に支障のない場所へ両面テープなどで固定し、ディスク回転時に空気との摩擦によって生じる、プレーヤー内部の静電気を抑制あるいは防止し、光学ピックアップの読み取り精度を高め音質を改善する。
【請求項４】
トルマリン鉱石をいれて作ったマイナスイオン水と、マイナスイオン水の持つ界面活性効果を、光学ディスクに付着する静電気と汚れの除去に利用することを特徴とする。滅菌精製水または煮沸消毒した飲料水およそ１００ＣＣに対しトルマリン鉱石約２〜５ｇ程度を容器に入れマイナスイオン水を作る。その液を光学式ディスクの表裏両面にごく少量滴下し、スポンジ状のメラミンフォームで表面を傷つけないよう軽く撫でるように全面に伸ばした後、吸水性の高い柔らかい布、または水に溶けない柔らかい紙でディスク表面の洗浄液を完全に拭き取ることにより、ディスク表面に付着する汚れと静電気を除去することができ、光学ピックアップの信号読み取り精度を高める。
【請求項５】
トルマリン微粒子の持つマイナスイオンを、光学ディスクの静電気除去と静電気付着防止のために利用することを特徴とする。トルマリン微細粒５〜６％混入した塗料で光学ディスクのレーベル部分の一部を印刷することにより、また印刷済みレーベル面については、レーベル面の数カ所に筆またはペンなどで塗布することにより、摩擦などで発生する静電気のディスク表面への付着を抑制あるいは防止し、光学ピックアップの信号読み取り精度を高め音質、画質などを改善する。
【発明の詳細な説明】
【０００１】
【発明の属する技術分野】
本発明はディスク表面の静電気を抑制あるいは防止する目的で、トルマリン鉱石の持つマイナスイオンを光学ディスクに使用できる形態にし、付着する静電気を効率良く除去、防止することで光学ピックアップの信号読み取り精度を向上改善するものである。
【０００２】
【従来の技術】
トルマリン鉱石の持つマイナスイオンを光学ディスクの静電気除去に応用したものは初めてである。従来からあるディスククリーニング用品は、油汚れを主に落とすための合成洗剤を含むものや、アルコール成分を含むだけのクリーニング液であったため効率良く静電気除去ができなかった。炭素繊維を素材にしたクリーニングクロスで静電気除去を目的としたものが販売されているが、トルマリン鉱石使用による物は今までになかった。
【０００３】
【発明が解決しようとする課題】
しかしながら従来技術による効果の大きい静電気除去法は、大掛かりな機械的なものであり、それだけに高価でもある。また、静電気除去を目的とする炭素繊維素材のクリーニングクロスもあるが、効果の点でトルマリン鉱石を使用した物の方が格段に優れている。高速回転により帯電し易い光学ディスクは、プレーヤーに装着する度に静電気や汚れを除去し、光学ピックアップの信号情報読み取り精度を向上させてやることが望ましい。従って確実に効果があり、安価で手軽に使えるということを重要な課題とする。
【０００４】
＜参考資料＞
特開平０５−０２８７４０  出願人  株式会社ニコン
特開平１１−２４６８３３  出願人  友野  俊一
【０００５】
【課題を解決するための手段】
以上の課題を解決するために請求項１の発明は、トルマリンを含有する繊    維を用いて音響機器の音質改善などを目的に、トルマリンの持つ静電気防止効果を利用することを特徴とする。ディスク表面を傷つけないようビロードなど柔らかい布１でトルマリン繊維３の両面を挟んだシートで、ディスク表面を拭くことによりトルマリンの持つマイナスイオンが、ディスク表面に付着する静電気を防止し、同時に荷電された汚れを除去、光学ピックアップの信号読み取り精度を高め音質などを改善する手段。請求項2の発明は請求項１と同様に、おもに音響機器の音質改善を目的にトルマリンの持つ静電気防止効果を利用することを特徴とする。トルマリンを含有する繊維あるいはトルマリン微細粒を付着した繊維３に粘着剤４を付帯させたテープを、ディスクレーベル側表面またはプレーヤー内部のディスク回転に支障のない場所に適当な大きさに切って貼りつけ、ディスク回転に伴う空気との摩擦によって生じるプレーヤー内部の静電気を抑制あるいは防止し、光学ピックアップの信号読み取り精度を高め音質や画像を改善する手段。請求項3の発明はトルマリン鉱石１ｇ程度の切片８を、プレーヤー内部のディスク回転に支障のない場所へ両面テープなどで固定し、ディスク回転に伴う空気との摩擦によって生じる、プレーヤー内部の静電気を抑制あるいは防止し、光学ピックアップの信号読み取り精度を高める手段である。請求項４は、トルマリン鉱石８で作ったマイナスイオン水１０の持つ界面活性効果と静電気除去効果を利用する事を特徴とする。このマイナスイオン水でディスク表面を洗浄することにより光学ピックアップの信号読み取り精度を高める手段。請求項５の発明は、トルマリン微細粒を光学ディスクに利用できる形にし、トルマリンの持つ静電気防止効果を利用することを特徴とする。トルマリン微細粒を含有する塗料１３をディスクレーベル側に塗布することで、ディスク回転に伴う空気との摩擦によって生じる、プレーヤー内部の静電気を抑制あるいは防止し、光学ピックアップの信号読み取り精度を高め音質等を改善する手段。
【０００６】
【発明の実施の形態】
この発明の実施形態を図１に示す。コンパクトディスクをこのシートで挟み軽く圧を加えながらディスクを回転もしくは前後左右に動かし両面を拭くことにより静電気を除去する。図2の発明の実施形態は、ディスクを装着するトレイ７近辺で機会的動作に支障の無い場所か、あるいはディスク自体のレーベル側表面外周に、シートを適当な大きさに切り２〜３ヶ所に貼り付けることによる。図３の発明の実施形態は、トルマリン鉱石１ｇ程度の切片８を、プレーヤー内部のディスク回転に支障のない場所へ両面テープなどで固定することによる。図４の発明の実施形態は、スプレー容器９等にいれたトルマリン洗浄液１０をディスク表面（両面）にかけ、洗浄液を完全に拭き取ることによる。図５の発明の実施形態は、トルマリン微細粒を混入した塗料１３をほんの少々筆１２などの先につけ、ディスクのレーベル側に２〜３箇所に文字や点などを描いて塗りつけることによる。
【０００７】
【他の実施形態】
ディスク装着トレイ自体７の材質にトルマリン微細粒を混入し成形したもの、またはトルマリン鉱石８を固定配置できる形状にディスクトレイ部分を成形したものを組立て段階で使用する実施形態があり確実な効果を期待できる。
【０００８】
【発明の効果】
以上説明したように、この発明によればトルマリンのマイナスイオンの持つ静電気防止効果を利用し、簡単にディスク表面に付着する静電気を除去あるいは抑制することができ、光学ピックアップの信号読み取り能力を向上改善することができる。実際のコンパクトディスク再生においては、雑音の減少によりホールや、録音スタジオ内の残響音もより明確に聞き取れるようになるなど、細かな音のつながりと分解能の改善が聞けるようになり、オーケストラの音もステレオ感が増し、見通しの良い音となる。また高音部に絡み付く甲高くキンキンと響くように感じる雑音を減少させる。映像部分においてはちかちかする細かなちらつきが無くなり画像の輪郭がはっきりとしてくるなどの効果が見られる。このことはディスクに付着する静電気が無くなり、光学ピックアップの信号読み取り精度が向上することにより信号情報が増加した結果で、本来持っているディスクの情報を正確に読み取っていなかったことがわかる。
【図面の簡単な説明】
【図１】請求項１のシートを示した斜面図である。
【図2】請求項2の粘着剤付きシートを示した斜面図である。
【図3】請求項３のトルマリン鉱石の付着位置例を示したトレイ部平面図である。
【図４】請求項４のマイナスイオン水のスプレー瓶に入れた平面図である。
【図５】請求項５のトルマリン微粒子を含有する塗料の入った容器の平面図である。
【符号の説明】
１  ビロード様布地
２  縫い糸（3枚の繊維を固定するための縫い糸目）
３  トルマリン含有繊維またはトルマリン微細粒付着繊維
４  粘着剤(粘着テープ)
５  接着防止保護紙（使用時に剥がす）
６  ディスクプレーヤー本体の一部（縮小略図）
７  ディスク装着トレイ
８  トルマリン鉱石
９  スプレー瓶
１０  マイナスイオン液
１１  塗料容器
１２  筆の部分
１３  トルマリン含有塗料
【図１】
2004178780.tif 000003
【図２】
2004178780.tif 000004
【図３】
2004178780.tif 000005
【図４】
2004178780.tif 000006
【図５】
2004178780.tif 000007